(57)【要約】【課題】有線ネットワークを使用してＡＶデータの記録や再生中に無線ネットワーク機能が自動起動して、ＡＶデータの記録や再生が途中で途切れることのない無線通信装置および無線通信方法を提供する。【解決手段】所定のアプリケーションを実行するソフトウェアと、起動中のアプリケーション情報と、ネットワークの接続形態を変更する接続形態変更アプリケーションと、所定のアプリケーションごとに接続形態変更アプリケーションの自動起動の可否を示す自動起動情報とを記憶部１０８に記憶しておき、有線ネットワークを使用中に、無線通信カードが挿入されると、自動起動制御部１１１は記憶部１０８から自動起動情報および起動中のアプリケーション情報を読み出して、接続形態変更アプリケーションを起動させるか否かを判定し、その判定結果に基づいて制御部１０３は接続形態変更アプリケーションを起動して無線ネットワークに接続を切り替える。【選択図】図２
2013077860.tif 000002
【特許請求の範囲】
【請求項１】
有線ネットワークと無線ネットワークの少なくとも２つのネットワークを切り替えて使用する無線通信装置であって、
前記有線ネットワークを経由して外部装置と信号を入出力する外部入出力部と、
前記無線ネットワークと接続する機能を有する通信媒体を挿入するとともに、前記通信媒体が挿入されたことを示す挿入検出信号を出力する通信媒体挿入部と、
所定のアプリケーションを実行するソフトウェアと、起動中のアプリケーション情報と、前記ネットワークの接続形態を変更する接続形態変更アプリケーションと、前記所定のアプリケーションごとに前記接続形態変更アプリケーションの自動起動の可否を示す自動起動情報と、を記憶する記憶部と、
前記通信媒体挿入部より前記挿入検出信号が入力された場合に、前記自動起動情報および前記起動中のアプリケーション情報に基づいて、前記接続形態変更アプリケーションの起動要求または起動不可要求を出力する自動起動制御部と、
前記有線ネットワークを使用中において、前記自動起動制御部より前記接続形態変更アプリケーションの起動要求を取得した場合は前記接続形態変更アプリケーションを起動させ、前記自動起動制御部より前記接続形態変更アプリケーションの起動不可要求を取得した場合は前記接続形態変更アプリケーションを起動させない制御部と、
を備えたことを特徴とする無線通信装置。
【請求項２】
前記制御部は、前記自動起動制御部から前記起動不可要求を取得した場合には、前記ネットワークの接続形態を変更する許可を求める確認画面を表示することを特徴とする請求項１に記載の無線通信装置。
【請求項３】
前記外部装置が録画再生装置であり、前記起動中のアプリケーションが前記有線ネットワーク経由でＡＶ信号を録画または再生するアプリケーションである場合には、前記自動起動制御部は前記制御部に前記起動不可要求を出力することを特徴とする請求項１または請求項２に記載の無線通信装置。
【請求項４】
有線ネットワークと無線ネットワークの少なくとも２つのネットワークに接続され、所定のアプリケーションを実行するソフトウェアと、前記ネットワークの接続形態を変更する接続形態変更アプリケーションを備えた無線通信装置の無線通信方法であって、
前記無線ネットワークと接続する機能を有する通信媒体が前記無線通信装置に挿入されたことを示す挿入検出信号を取得するステップと、
前記所定のアプリケーションごとに前記接続形態変更アプリケーションの自動起動の可否を示す自動起動情報と、起動中のアプリケーション情報と、を取得するステップと、
前記自動起動情報および前記起動中のアプリケーション情報に基づいて、前記接続形態変更アプリケーションの起動要求または起動不可要求を出力するステップと、
前記有線ネットワークを使用中において、前記接続形態変更アプリケーションの起動要求を取得した場合は前記接続形態変更アプリケーションを起動させ、前記接続形態変更アプリケーションの起動不可要求を取得した場合は前記接続形態変更アプリケーションを起動させないステップと、
を備えたことを特徴とする無線通信方法。
【発明の詳細な説明】
【技術分野】
【０００１】
本発明は、無線通信媒体が接続されたことを検出して自動的に無線接続機能を起動する無線通信装置および無線通信方法に関する。
【背景技術】
【０００２】
近年、ネットワーク機能を備えたデジタルテレビ、ＤＶＤレコーダ、デジタルカメラななどの家庭内の機器が増加している。このネットワーク機能を使えば、家庭内の他の機器とＡＶデータの通信、他の機器の動作状態の監視、各種制御などのほかに、外部のインターネットにも接続することが可能となる。
【０００３】
家庭内の機器間のネットワーク接続形態としては、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＤＬＮＡ（Ｄｉｇｉｔａｌ  Ｌｉｖｉｎｇ  Ｎｅｔｗｏｒｋ  Ａｌｌｉａｎｃｅ）、通常のイーサネット（登録商標）などがあるが、これらはネットワーク接続のためにケーブルの配線が必要である。
【０００４】
また、最近では、８０２．１１ａ／ｂ／ｇ／ｎなどの無線ＬＡＮ（Ｌｏｃａｌ  Ａｒｅａ  Ｎｅｔｗｏｒｋ）規格に準拠した無線ネットワークが急速に普及しつつある。家庭内においても、配線のわずらわしさがなく、設置場所を自由に変更できるという特徴により、無線ネットワーク機能を搭載した機器が今後ますます増加することが予想される。しかしながら、一般家庭のユーザーにとって無線ネットワーク接続の設定は煩雑であり、無線ネットワーク接続設定の簡素化が強く望まれている。
【０００５】
例えば、電子メールを送受信するための無線通信端末が装着された場合に、無線通信端末の装着を検出し、自動的に電子メール用のプログラムを起動させ、電子メールの送受信を開始させる通信装置が提案されている（例えば、特許文献１参照）。
【先行技術文献】
【特許文献】
【０００６】
【特許文献１】特開平１０−１６４１２１号公報
【発明の概要】
【発明が解決しようとする課題】
【０００７】
ところで、特許文献１に示す方法では、通信装置に無線ネットワークのみが接続されている場合には問題ないが、無線ネットワークに加えて外部装置と通信するための他の有線ネットワークが接続されている場合には問題が発生する場合がある。
【０００８】
例えば、通信装置と録画再生装置などの外部装置とが有線ネットワークで接続され、有線ネットワーク経由で通信装置と外部装置との間でＡＶデータの記録や再生が行われている場合、無線ネットワーク機能が自動起動されて有線ネットワークの接続が切断されると、ＡＶデータの記録や再生が途中で止まってしまうという問題があった。
【０００９】
本発明はこのような課題を解決するためになされたものであり、有線ネットワークを使用してＡＶデータの記録や再生中に無線ネットワーク機能が自動起動した場合でも、ＡＶデータの記録や再生が途中で途切れることのない無線通信装置および無線通信方法を提供することを目的とするものである。
【課題を解決するための手段】
【００１０】
上記目的を達成するために、本発明の請求項１に係る無線通信装置は、有線ネットワークと無線ネットワークの少なくとも２つのネットワークを切り替えて使用する無線通信装置であって、有線ネットワークを経由して外部装置と信号を入出力する外部入出力部と、無線ネットワークと接続する機能を有する通信媒体を挿入するとともに、通信媒体が挿入されたことを示す挿入検出信号を出力する通信媒体挿入部と、所定のアプリケーションを実行するソフトウェアと、起動中のアプリケーション情報と、ネットワークの接続形態を変更する接続形態変更アプリケーションと、所定のアプリケーションごとに接続形態変更アプリケーションの自動起動の可否を示す自動起動情報と、を記憶する記憶部と、通信媒体挿入部より挿入検出信号が入力された場合に、自動起動情報および起動中のアプリケーション情報に基づいて、接続形態変更アプリケーションの起動要求または起動不可要求を出力する自動起動制御部と、有線ネットワークを使用中において、自動起動制御部より接続形態変更アプリケーションの起動要求を取得した場合は接続形態変更アプリケーションを起動させ、自動起動制御部より接続形態変更アプリケーションの起動不可要求を取得した場合は接続形態変更アプリケーションを起動させない制御部と、を備えたことを特徴とする。
【００１１】
このような構成により、有線ネットワークを使用したアプリケーションが起動中に、無線通信カードなどが挿入された場合でも、無線ネットワークへの接続変更が可能か否かを判断した後に、無線ネットワークへ接続変更が行われる。したがって、有線ネットワークを使用するアプリケーションが中断されて問題となることがない。
【００１２】
また本発明の請求項２に係る無線通信装置では、請求項１に係る無線通信装置において、制御部は、自動起動制御部から起動不可要求を取得した場合には、ネットワークの接続形態を変更する許可を求める確認画面を表示することを特徴とする。
【００１３】
このような構成により、有線ネットワークを使用するアプリケーションが中断されて問題となる場合には、ユーザーはその旨を示す確認画面を見ながら無線ネットワークへ接続変更するか否かを決定することができる。
【００１４】
また本発明の請求項３に係る無線通信装置では、請求項１または請求項２に係る無線通信装置において、外部装置が録画再生装置であり、起動中のアプリケーションが有線ネットワーク経由でＡＶ信号を録画または再生するアプリケーションである場合には、自動起動制御部は制御部に起動不可要求を出力することを特徴とする。
【００１５】
このような構成により、有線ネットワーク経由のＡＶ信号の録画または再生中に、無線通信カードが挿入された場合でも、録画や再生が途中で途切れることがない。
【００１６】
本発明の請求項４に係る無線通信方法は、有線ネットワークと無線ネットワークの少なくとも２つのネットワークに接続され、所定のアプリケーションを実行するソフトウェアと、ネットワークの接続形態を変更する接続形態変更アプリケーションを備えた無線通信装置の無線通信方法であって、無線ネットワークと接続する機能を有する通信媒体が無線通信装置に挿入されたことを示す挿入検出信号を取得するステップと、所定のアプリケーションごとに接続形態変更アプリケーションの自動起動の可否を示す自動起動情報と、起動中のアプリケーション情報と、を取得するステップと、自動起動情報および起動中のアプリケーション情報に基づいて、接続形態変更アプリケーションの起動要求または起動不可要求を出力するステップと、有線ネットワークを使用中において、接続形態変更アプリケーションの起動要求を取得した場合は接続形態変更アプリケーションを起動させ、接続形態変更アプリケーションの起動不可要求を取得した場合は接続形態変更アプリケーションを起動させないステップと、を備えたことを特徴とする。
【発明の効果】
【００１７】
本発明によれば、有線ネットワークを使用してＡＶデータの記録や再生中に無線ネットワーク機能が自動起動して、ＡＶデータの記録や再生が途中で途切れることのない無線通信装置および無線通信方法を提供することができる。
【図面の簡単な説明】
【００１８】
【図１】本発明の概念を示す図である。
【図２】本発明の実施の形態１における無線通信装置の構成を示すブロック図である。
【図３】本発明の実施の形態１における無線通信カードの構成を示すブロック図である。
【図４】本発明の実施の形態１における無線通信装置の自動起動情報の例を示す図である。
【図５】本発明の実施の形態１における無線通信装置の起動制御処理を示すフローチャートである。
【図６】本発明の実施の形態１における無線通信装置の自動起動不可時の表示画面例を示す図である。
【図７】本発明の実施の形態１における無線通信装置の自動起動可能時のアプリケーション起動状態の表示画面例を示す図である。
【発明を実施するための形態】
【００１９】
以下、本発明の実施の形態における無線通信装置について、図面を参照しながら説明する。ここでは、本発明の無線通信装置の一例として、デジタルテレビを例に説明する。
【００２０】
（実施の形態１）
図１は本発明の概念を説明するための図である。図１において無線通信装置としてのデジタルテレビ１００は外部装置としての録画再生装置３００と有線ネットワーク４００で接続されている。デジタルテレビ１００と録画再生装置３００とは、この有線ネットワーク４００を介して、例えばＤＬＮＡガイドラインに対応したプロトコルで通信を行う。ユーザーはリモコン（図示せず）などを操作してデジタルテレビ１００で受信した番組のＡＶデータを有線ネットワーク４００を介して録画再生装置３００に録画することができる。また、録画再生装置３００に記録してある番組のＡＶデータを再生して有線ネットワーク４００を介してデジタルテレビ１００で視聴することができる。
【００２１】
デジタルテレビ１００は、有線ネットワーク４００の他に無線ネットワーク５００と接続することも可能である。そのために、デジタルテレビ１００は通信媒体としての無線通信カード（以下、「無線ＬＡＮアダプター」ともいう）２００を挿入できる通信媒体挿入部１１０を備えている。無線通信カード２００は家庭内の他の場所に設置してある無線ＬＡＮアクセスポイント（図示せず。以下、単に「アクセスポイント」ともいう）を介して外部のインターネットに接続することができる。無線通信カード２００は例えば、ＵＳＢ（Ｕｎｉｖｅｒｓａｌ  Ｓｅｒｉａｌ  Ｂｕｓ）インタフェースを備えている。この無線通信カード２００を通信媒体挿入部１１０に挿入すると無線接続アプリケーションが自動的に起動され、無線ネットワーク５００に接続される。デジタルテレビ１００は有線ネットワーク４００か無線ネットワーク５００かのいずれか一方のネットワークに接続される構成になっており、２つのネットワーク間の接続切り替えはデジタルテレビ１００に保存されている接続形態変更アプリケーションによって行われる。
【００２２】
次に、本実施の形態におけるデジタルテレビ１００の構成および動作について説明する。図２は本発明の実施の形態におけるデジタルテレビ１００の構成を示すブロック図である。デジタルテレビ１００は、受信部１０１と、分離部１０２と、制御部１０３と、デコード部１０４と、音声出力部１０５と、映像出力部１０６と、ＯＳＤ（Ｏｎ  Ｓｃｒｅｅｎ  Ｄｉｓｐｌａｙ）制御部１０７と、記憶部１０８と、外部入出力部１０９と、通信媒体挿入部１１０と、自動起動制御部１１１と、入力部１１２と、スピーカ１１３と、表示部１１４とを備えている。
【００２３】
受信部１０１はアンテナ（図示せず）からデジタル放送波を入力し、増幅、復調等の処理を行った後、トランスポートストリームとして分離部１０２に出力する。
【００２４】
分離部１０２は受信部１０１から入力されたトランスポートストリームをＡＶデータ（ＭＰＥＧ２圧縮データ）と電子番組情報などを含む付属情報に分離し、ＡＶデータをデコード部１０４へ出力し、付属情報を制御部１０３へ出力する。また、制御部１０３から入力されたＡＶデータをデコード部１０４へ出力する。
【００２５】
制御部１０３は分離部１０２から入力された付属情報を記憶部１０８に記憶させる。ユーザーのリモコン（図示せず）操作などにより、入力部１１２から選局要求が入力された場合は受信部１０１を制御し、入力部１１２から付属情報表示要求が入力された場合は所定の付属情報を記憶部１０８から取得し、ＯＳＤ制御部１０７へＯＳＤ表示要求として出力する。また、外部入出力部１０９を介して有線ネットワーク４００から受信したＡＶデータ、または通信媒体挿入部１１０に挿入された無線通信カード２００を介して無線ネットワーク５００から受信したＡＶデータを分離部１０２へ出力する。有線ネットワーク４００へ送信するＡＶデータを記憶部１０８または受信部１０１から取得し、外部入出力部１０９へ出力する。同様に、無線ネットワーク５００へ送信するＡＶデータを無線通信カード２００へ出力する。更に、入力部１１２からの要求または外部入出力部１０９から入力された制御信号、無線通信カード２００から入力された制御信号、またはデジタルテレビ１００の内部状態に応じて記憶部１０８に記憶された所定のアプリケーションを起動させる。自動起動制御部１１１からの接続形態変更アプリケーション起動要求または入力部１１２からの接続形態変更アプリケーション起動要求を取得すると、記憶部１０８に記憶された接続形態変更アプリケーションを起動させる。更に、起動中のアプリケーション情報を記憶部１０８に記憶させる。
【００２６】
デコード部１０４は分離部１０２から入力されたＭＰＥＧ２で圧縮されたＡＶデータを元の映像信号および音声信号に復号し、復号化された映像信号を映像出力部１０６へ出力し、復号化された音声信号を音声出力部１０５へ出力する。
【００２７】
音声出力部１０５はデコード部１０４から入力された復号化された音声信号に音量調整、音質調整等の各種音声処理を行った後、増幅して、音声信号としてスピーカ１１３へ出力する。ここで、スピーカ１１３はデジタルテレビ１００に内蔵してもよいし、別体であってもよい。
【００２８】
映像出力部１０６はデコード部１０４から入力された復号化された映像信号に輝度調整、色調整等の各種映像処理を行った後、所定の表示フォーマットに変換して、映像信号として表示部１１４へ出力する。また、ＯＳＤ制御部１０７から入力されたＯＳＤ信号を映像信号に合成して表示部１１４に出力する。
【００２９】
ＯＳＤ制御部１０７は制御部１０３からのＯＳＤ表示要求に基づいてＯＳＤ信号を生成し、映像出力部１０６へ出力する。ここで、ＯＳＤ信号には電子番組表などが含まれる。
【００３０】
記憶部１０８は接続形態変更アプリケーションをはじめ各種アプリケーションを実行するソフトウェア、自動起動情報、起動中のアプリケーション情報を記憶する。また、制御部１０３から入力された付属情報やＡＶデータを記憶する。更に、アクセスポイントに接続するためのアクセスポイント情報を保持する。ここで言うアクセスポイント情報とは、アクセスポイントを識別するためのＳＳＩＤ（Ｓｅｒｖｉｃｅ  Ｓｅｔ  ＩＤ）の情報、アクセスポイントに接続する際に必要となる認証方式、暗号化方式、暗号化キーの情報を少なくとも含む。
【００３１】
外部入出力部１０９はＤＬＮＡ、ＨＤＭＩ等の有線ネットワーク４００を介して、録画再生装置３００と通信する。録画再生装置３００から入力された制御信号、ＡＶデータを制御部１０３へ出力し、制御部１０３から入力された制御信号、ＡＶデータを録画再生装置３００へ出力する。外部装置としては、録画再生装置３００のほかに冷蔵庫やエアコンなどの家庭内の家電機器でもよい。この場合には、有線ネットワーク４００を介して各家電機器から家電機器の状態をモニタするモニタリング情報を受信したり、家電機器に電源制御情報や各種設定情報などを送信したりする。
【００３２】
通信媒体挿入部１１０は無線通信カード２００が挿入された場合に、無線通信カード２００が挿入されたことを示す挿入検出信号を自動起動制御部１１１へ出力する。また、無線通信カード２００から受信したＡＶデータを制御部１０３へ出力し、制御部１０３から入力されたＡＶデータを無線通信カード２００を介してアクセスポイント（図示せず）へ出力する。更に、無線通信カード２００からの制御信号を制御部１０３へ出力したり、制御部１０３からの制御信号を無線通信カード２００へ出力する。
【００３３】
自動起動制御部１１１は通信媒体挿入部１１０から挿入検出信号が入力された場合に、記憶部１０８に記憶された自動起動情報及び起動中のアプリケーション情報に基づいて、接続形態変更アプリケーションの起動の可否を判定する。判定結果に応じて、制御部１０３に対して接続形態変更アプリケーション起動要求または起動不可要求を出力する。
【００３４】
入力部１１２はリモコン等の入力装置（図示せず）を介して入力されたリモコン信号を受信し、制御部１０３へ出力する。
【００３５】
スピーカ１１３は音声出力部１０５から音声出力信号を受け取って、音声を出力する。
【００３６】
表示部１１４はプラズマディスプレイパネルや液晶パネルで構成されており、映像出力部１０６からの映像出力信号を表示する。
【００３７】
次に無線通信カード２００の構成および動作について説明する。図３は本発明の実施の形態１における無線通信カード２００の構成を示すブロック図である。無線通信カード２００は、送受信部２０１と、制御部２０２とを備えている。
【００３８】
送受信部２０１はＩＥＥＥ８０２．１１ａ／ｂ／ｇ／ｎ等の無線ネットワーク５００を介して、無線通信用に変調された無線通信フォーマットデータを受信し、受信した無線通信用に変調された無線通信フォーマットデータを制御部２０２へ出力する。また、制御部２０２から入力された無線通信フォーマットデータをアクセスポイントなどの所定の装置（図示せず）へ無線送信する。
【００３９】
制御部２０２は送受信部２０１から入力された無線通信フォーマットデータを解析し、ＡＶデータまたは制御信号を取得して、デジタルテレビ１００の制御部１０３へ出力する。また、デジタルテレビ１００の制御部１０３から入力されたＡＶデータまたは制御信号を、デジタルテレビ１００の記憶部１０８に保持されたアクセスポイント情報を利用して無線通信フォーマットデータに変換し、送受信部２０１へ出力する。
【００４０】
図４は本発明の実施の形態１における無線通信装置の自動起動情報の例を示す図であり、起動するアプリケーションと自動起動の可否の対応テーブルを示している。デジタルテレビ１００の記憶部１０８に記憶されているアプリケーションとしては、ＤＬＮＡ再生アプリケーション、ネットワーク録画アプリケーション、家電機器モニタリングアプリケーションなどがある。ここで、ＤＬＮＡ再生アプリケーション、ネットワーク録画アプリケーションの起動中は、有線ネットワーク４００にはリアルタイム性や接続を連続的に保持することを要求されるＡＶデータが流れている。この状態でネットワークが無線ネットワーク５００に切り替えられるとＡＶデータが途切れてしまい、再生や録画が中断されることになる。一方、家電機器モニタリングアプリケーションの起動中は有線ネットワーク４００にはモニタリング情報や制御信号が断続的に流れており、これらの信号はリアルタイム性や接続を連続的に保持することを要求されない。従って、たとえ、家電機器モニタリングアプリケーションの起動中に無線ネットワーク５００に切り替わって通信が途切れたとしても、再び有線ネットワーク４００に切り替えられたときに通信を再開すれば問題ない。
【００４１】
例えば、デジタルテレビ１００と録画再生装置３００がＤＬＮＡで接続され、デジタルテレビ１００が録画再生装置３００に記録されたＡＶデータを再生する場合、デジタルテレビ１００の制御部１０３は記憶部１０８に記憶されたＤＬＮＡ再生アプリケーションを起動して、ＡＶデータを再生する。この状況において、無線通信カード２００をデジタルテレビ１００の通信媒体挿入部１１０に挿入した場合、自動起動制御部１１１は、起動中のアプリケーション情報（ＤＬＮＡ再生アプリケーション）、自動起動情報（自動起動不可）に基づいて、接続形態変更アプリケーションの起動を「不可」と判定する。
【００４２】
また例えば、デジタルテレビ１００と冷蔵庫（外部装置）がＩＰ（Ｉｎｔｅｒｎｅｔ  Ｐｒｏｔｏｃｏｌ）ネットワークで接続され、デジタルテレビ１００が冷蔵庫の動作情報をモニタリングする場合、デジタルテレビ１００の制御部１０３は記憶部１０８に記憶された家庭機器モニタリングアプリケーションを起動する。この状況において、無線通信カード２００をデジタルテレビ１００の通信媒体挿入部１１０に挿入した場合、自動起動制御部１１１は、起動中のアプリケーション情報（家庭機器モニタリングアプリケーション）、自動起動情報（自動起動可）に基づいて、接続形態変更アプリケーションの起動を「可能」と判定する。
【００４３】
図５は本発明の実施の形態１における無線通信装置の自動起動制御部１１１の起動制御処理を示すフローチャートである。まず、自動起動制御部１１１は通信媒体挿入部１１０から無線通信カード２００が挿入されたことを示す挿入検出信号を受信するまで待機する（ステップＳ５０１）。自動起動制御部１１１が挿入検出信号を受信した場合には（ステップＳ５０１で「ＹＥＳ」の場合）、記憶部１０８から制御部１０３を介して自動起動情報および起動中のアプリケーション情報を取得する（ステップＳ５０２）。次に、ステップＳ５０２で取得した起動中のアプリケーション情報から図４の対応テーブルを参照して、無線ネットワーク５００へ接続変更する接続形態変更アプリケーションが自動起動可能か否かを判定する（ステップＳ５０３）。自動起動可能な場合（ステップ５０３で「ＹＥＳ」の場合）、自動起動制御部１１１は接続形態変更アプリケーション起動要求を制御部１０３へ出力して動作を終了する。一方、自動起動が不可の場合（ステップ５０３で「ＮＯ」の場合）、自動起動制御部１１１は自動起動不可要求を制御部１０３へ出力して終了する。
【００４４】
次に、無線通信カード２００がデジタルテレビ１００に挿入された場合の、表示部１１４に表示される表示画面の例を示す。図６は本発明の実施の形態１における自動起動不可時の表示画面例である。例えば、ＤＬＮＡ再生アプリケーションが起動中に無線通信カード２００が挿入されると、図６に示すようにネットワークの接続設定の変更の許可を求める表示画面が表示部１１４に表示される。ユーザーがリモコン等の入力装置（図示せず）で「はい」を選択すると、図７のような表示画面に切り替わり、無線ＬＡＮアクセスポイントとの接続を開始する。一方、図６において「いいえ」を選択すると、設定変更をすることなく、現在のアプリケーション動作を継続する。
【００４５】
以上説明したように、本実施の形態の無線通信装置によれば、有線ネットワーク４００を使用してＡＶデータの記録や再生を行うアプリケーションが起動中に、無線通信カード２００が挿入された場合でも、無線ネットワーク５００へ接続設定が変更されて、起動中のアプリケーションが中断し、ＡＶデータの記録や再生が途中で途切れることがない。また、ネットワークの設定変更の許可を求める確認画面が表示されるので、ユーザーは有線ネットワーク４００の使用を継続するか、無線ネットワーク５００への接続設定を変更するかを選択することが可能となる。
【００４６】
なお、上記実施の形態では、有線ネットワーク４００の接続先は録画再生装置３００を例に挙げて説明しているが、動画等のコンテンツを提供するサーバーやデジタルスチルカメラ、デジタルビデオカメラであってもよいし、家庭内の機器（冷蔵庫、エアコン等）であってもよい。
【００４７】
また、上記実施の形態では、接続先の外部装置を１つとして説明しているが、複数の外部装置と接続されていてもよい。この場合、起動中のアプリケーションが複数存在する場合が考えられるが、１つでも自動起動不可な起動中アプリケーションが存在する場合は、起動不可と判定してユーザー確認画面を出すようにしてもよい。
【００４８】
また、上記実施の形態では、デジタルテレビ１００の記憶部１０８にアクセスポイントへの接続情報を保持しているとしたが、初めて無線通信カード２００が挿入されるような場合には、アクセスポイントの接続情報を設定する画面を表示してもよい。ユーザーはこの画面を用いてアクセスポイントとの設定を行うことができる。
【００４９】
また、上記実施の形態では、無線通信カード２００を挿入したときに有線ネットワーク４００で使用されているアプリケーションによって、ネットワーク接続の設定変更が可能か否かの判定を行ったが、逆に有線ネットワーク４００が接続されたときに、無線ネットワーク５００で使用されているアプリケーションによって上記判定を行ってもよい。例えば、無線ネットワーク５００を使用して外部のインターネット経由でコンテンツ配信サーバーから配信されるコンテンツをストリーミングで視聴しているような場合に、有線ネットワーク４００が接続されたときにはネットワーク接続の設定変更を禁止するようにしてもよい。
【産業上の利用可能性】
【００５０】
本発明は、複数のネットワークを切り替えて使用する無線通信装置に広く利用可能である。
【符号の説明】
【００５１】
１００    デジタルテレビ（無線通信装置）
１０１    受信部
１０２    分離部
１０３    制御部
１０４    デコード部
１０５    音声出力部
１０６    映像出力部
１０７    ＯＳＤ制御部
１０８    記憶部
１０９    外部入出力部
１１０    通信媒体挿入部
１１１    自動起動制御部
１１２    入力部
１１３    スピーカ
１１４    表示部
２００    無線通信カード（通信媒体）
２０１    送受信部
２０２    制御部
３００    録画再生装置（外部装置）
４００    有線ネットワーク
５００    無線ネットワーク
【図１】
2013077860.tif 000003
【図２】
2013077860.tif 000004
【図３】
2013077860.tif 000005
【図４】
2013077860.tif 000006
【図５】
2013077860.tif 000007
【図６】
2013077860.tif 000008
【図７】
2013077860.tif 000009